(57)【要約】【課題】  １枚のラックを用いて該ラックとピニオンの間のバックラッシュを除去することが可能であり、然も熱劣化や経年劣化による信頼性の低下が生じることのないディスクプレーヤを提供する。【解決手段】  本発明に係るディスクプレーヤは、モータによって回転駆動されるピニオン73と、ピックアップ装置４の移動方向に伸びるラック52を具えてピニオン73と噛合するラック部材５と、ピックアップ装置４とラック部材５の間に介在するバネ部材８とを具え、ラック部材５は、ピックアップ装置４のベース40に、ピニオン73に対する接近離間が可能に連結されており、バネ部材８は、ラック部材５をピニオン73へ接近させる方向に付勢すると同時にラック部材５をピックアップ装置４の移動方向に付勢してピックアップ装置４の一部に押し当てる１つの当たり部84を有している。【選択図】      図２
2005228456.tif 000002
【特許請求の範囲】
【請求項１】
ディスクを回転駆動するターンテーブル(９)と、ターンテーブル(９)の半径方向に往復移動可能に支持されたベース(40)上にピックアップ(44)を搭載してなるピックアップ装置(４)と、ピックアップ装置(４)のベース(40)をディスク半径方向に往復駆動するピックアップ駆動装置(７)とを具えたディスクプレーヤにおいて、ピックアップ駆動装置(７)は、モータ(71)によって回転駆動されるピニオン(73)と、ピックアップ装置(４)の移動方向に伸びるラック(52)を具えて前記ピニオン(73)と噛合するラック部材(５)と、ピックアップ装置(４)とラック部材(５)の間に介在するバネ部材(８)とを具え、前記ラック部材(５)は、ピックアップ装置(４)のベース(40)に、前記ピニオン(73)に対する接近離間が可能に連結されており、前記バネ部材(８)は、ラック部材(５)をピニオン(73)へ接近させる方向に付勢すると同時にラック部材(５)をピックアップ装置(４)の移動方向に付勢してピックアップ装置(４)の一部に押し当てる１つの弾性部を有していることを特徴とするディスクプレーヤ。
【請求項２】
バネ部材(８)は、互いに拡開する方向の弾性復帰力を発揮する第１脚部(82)と第２脚部(83)を具えたトーションバネであって、第１脚部(82)がラック部材(５)に係止されると共に、第２脚部(83)の先端部がピックアップ装置(４)のベース(40)に圧接され、該第２脚部(83)が前記１つの弾性部となって、ラック部材(５)をピニオン(73)へ接近させる方向に付勢する第１の分力と、ラック部材(５)をピックアップ装置(４)の移動方向に付勢する第２の分力を発揮する請求項１に記載のディスクプレーヤ。
【請求項３】
ラック部材(５)は、ピックアップ装置(４)の往復移動を案内する１本のレール(21)に回転可能に係合して、該レール(21)を中心とする回転によってピニオン(73)に対する接近離間が可能である請求項１又は請求項２に記載のディスクプレーヤ。
【発明の詳細な説明】
【技術分野】
【０００１】
本発明は、光ディスク等のディスク状記録媒体から信号を読み取って音声及び／又は映像として再生するディスクプレーヤに関するものである。
【背景技術】
【０００２】
ディスクプレーヤは、ディスクを回転駆動するターンテーブルと、回転するディスクから信号を読み取るピックアップと、ラックとピニオンの噛合によってピックアップをディスク半径方向に往復駆動するピックアップ駆動装置とを具え、ディスクの信号面から信号を光学的に読み取るものである。
【０００３】
ピックアップの位置を高精度に制御するためには、ラックとピニオンの間のバックラッシュを除去する必要があり、従来のディスクプレーヤにおいては、２枚のラックを重ね合わせて両ラックの歯列をずらす方向に弾性付勢した状態でピニオンに噛合せしめた構造が採用されている。しかしながら、該構造においては２枚のラックが必要であり、１枚のラックはピックアップにネジ止め固定しなければならないため、部品点数が増大し、組立に手間がかかる問題があった。
【０００４】
そこで、図７に示すディスクプレーヤにおいては、２本の平行なレール(31)(32)によって往復移動可能に支持されたピックアップ(３)に、ラック(61)とバネ片(62)を一体に具えた合成樹脂製のラック部材(６)を取り付けて、バネ片(62)の弾性付勢力によってラック(61)を常にピニオン(63)に押し付ける構造が採用されている(特許文献１)。該構造によれば、１枚のラック(61)を用いて該ラック(61)とピニオン(63)の間のバックラッシュを無くすことが出来る。
【特許文献１】特開平９−６３２１３号公報［G11B21/02］
【発明の開示】
【発明が解決しようとする課題】
【０００５】
しかしながら、図７に示すディスクプレーヤにおいては、ラック部材(６)に熱劣化や経年劣化を生じて、バネ片(62)の弾性が低下する虞があるため、信頼性の点で問題があった。
そこで本発明の目的は、１枚のラックを用いて該ラックとピニオンの間のバックラッシュを除去することが可能であり、然も熱劣化や経年劣化による信頼性の低下が生じることのないピックアップ駆動装置を具えたディスクプレーヤを提供することである。
【課題を解決するための手段】
【０００６】
本発明に係るディスクプレーヤは、ディスクを回転駆動するターンテーブル(９)と、ターンテーブル(９)の半径方向に往復移動可能に支持されたベース(40)上にピックアップ(44)を搭載してなるピックアップ装置(４)と、ピックアップ装置(４)のベース(40)をディスク半径方向に往復駆動するピックアップ駆動装置(７)とを具えている。
ピックアップ駆動装置(７)は、モータ(71)によって回転駆動されるピニオン(73)と、ピックアップ装置(４)の移動方向に伸びるラック(52)を具えて前記ピニオン(73)と噛合するラック部材(５)と、ピックアップ装置(４)とラック部材(５)の間に介在するバネ部材(８)とを具えている。
【０００７】
前記ラック部材(５)は、ピックアップ装置(４)のベース(40)に、前記ピニオン(73)に対する接近離間が可能に連結されており、前記バネ部材(８)は、ラック部材(５)をピニオン(73)へ接近させる方向に付勢すると同時にラック部材(５)をピックアップ装置(４)の移動方向に付勢してピックアップ装置(４)の一部に押し当てる１つの弾性部を有している。
【０００８】
例えば、ラック部材(５)は、ピックアップ装置(４)の往復移動を案内する１本のレール(21)に回転可能に係合して、該レール(21)を中心とする回転によってピニオン(73)に対する接近離間が可能である。
【０００９】
上記本発明のディスクプレーヤにおいては、バネ部材(８)によってラック部材(５)がピニオン(73)へ接近する方向に付勢されて、ラック(52)がピニオン(73)に深く噛合するので、バックラッシュが除去される。又、バネ部材(８)によってラック部材(５)がピックアップ装置(４)の移動方向に付勢されてピックアップ装置(４)の一部に押し当てられているので、ラック部材(５)とピックアップ装置(４)とは一体となって往復移動し、ラック部材(５)とピックアップ装置(４)の間にガタツキは生じない。
【００１０】
ここで、上述の２方向の付勢はバネ部材(８)に設けられた１つの弾性部によって行なうので、バネ部材(８)は、上述の２方向の付勢を２つの弾性部によって行なう構成に比べて、構造が簡易となる。又、バネ部材(８)を例えばバネ鋼製とすることによって、熱劣化や経年劣化を防止し、一定の弾性復帰力を継続的に発揮させることが出来るので、ピックアップ駆動装置(７)に高い信頼性を維持することが出来る。
【００１１】
具体的構成において、バネ部材(８)は、互いに拡開する方向の弾性復帰力を発揮する第１脚部(82)と第２脚部(83)を具えたトーションバネであって、第１脚部(82)がラック部材(５)に係止されると共に、第２脚部(83)の先端部がピックアップ装置(４)のベース(40)に圧接され、該第２脚部(83)が前記１つの弾性部となって、ラック部材(５)をピニオン(73)へ接近させる方向に付勢する第１の分力と、ラック部材(５)をピックアップ装置(４)の移動方向に付勢する第２の分力を発揮する。
【００１２】
該具体的構成においては、バネ部材(８)がピックアップ装置(４)のベース(40)を弾性付勢する力が、ラック部材(５)をピニオン(73)へ接近させる方向に付勢する第１の分力と、ラック部材(５)をピックアップ装置(４)の移動方向に付勢する第２の分力とを有し、第１の分力によってバックラッシュが除去されると共に、第２の分力によってラック部材(５)がピックアップ装置(４)のベース(40)に押し付けられる。
該具体的構成によれば、バネ部材(８)が単純な構造のトーションバネによって構成されるので、バネ部材(８)の製造が容易となる。
【発明の効果】
【００１３】
本発明に係るディスクプレーヤによれば、１枚のラックを用いて該ラックとピニオンの間のバックラッシュを除去することが可能であり、然もピックアップ駆動装置に高い信頼性を得ることが出来る。
【発明を実施するための最良の形態】
【００１４】
以下、本発明の実施形態につき、図面に沿って具体的に説明する。
本発明に係るディスクプレーヤは、図１に示す如くシャーシ(１)上に、ディスクを回転駆動するターンテーブル(９)と、ターンテーブル(９)上のディスクから信号を読み取るピックアップ装置(４)と、ピックアップ装置(４)をディスク半径方向に往復駆動するピックアップ駆動装置(７)とを配備して構成されている。
ピックアップ駆動装置(７)は、モータ(71)に減速ギア列(72)を連繋し、該減速ギア列(72)の最終段に位置するピニオン(73)を、ピックアップ装置(４)に連結されたラック部材(５)に噛合させて構成される。
【００１５】
ピックアップ装置(４)は、ベース(40)上にピックアップ(44)を搭載して構成され、シャーシ(１)上に架設された２本の平行な第１レール(21)及び第２レール(22)によって、ディスク半径方向の往復移動が可能に支持されている。
ターンテーブル(９)は、シャーシ(１)裏面に設けたターンテーブル駆動モータ(図示省略)に連繋されている。
【００１６】
図４に示す如く、ピックアップ装置(４)のベース(40)は、その走行方向と直交する方向の両端に、前記第１レール(21)及び第２レール(22)に摺動可能に係合する第１係合部(41)及び第２係合部(45)を有しており、第１係合部(41)は一対の軸受け片(42)(43)を有し、両軸受け片(42)(43)を第１レール(21)が貫通している。又、第２係合部(45)は前記第２レール(22)にスライド可能に係合している。
【００１７】
ピックアップ装置(４)のベース(40)には、第１係合部(41)側の端部に、前記ラック部材(５)が連結されている。該ラック部材(５)は、平板状の本体(51)の側縁に、ピックアップ装置(４)の移動方向に伸びるラック(52)を具えると共に、ピックアップ装置(４)の移動方向の両端部には、一対の係合片(53)(54)が突設され、両係合片(53)(54)を第１レール(21)が貫通している。又、ラック部材(５)の本体(51)には、一方の係合片(53)から他方の係合片(54)へ向けて伸びるリブ(55)が立設されている。
前記ピックアップ装置(４)の第１係合部(41)は、ラック部材(５)の一対の係合片(53)(54)の間に、ピックアップ装置(４)の移動方向に余裕のある状態で挟まれている。斯くして、ラック部材(５)は、ピックアップ装置(４)のベース(40)に対し、第１レール(21)を中心として回転可能に連結されている。
【００１８】
ピックアップ装置(４)のベース(40)とラック部材(５)の本体(51)の間には、バネ部材(８)が圧縮状態で介在している。
該バネ部材(８)は、１本のバネ鋼製の線材を屈曲させて形成され、複数の巻回数を有数するコイル部(81)と、該コイル部(81)の両端からＶ字状に突出する第１脚部(82)及び第２脚部(83)とを具え、第２脚部(83)の先端部は折り返されてループ状の当たり部(84)が形成されている。
【００１９】
図４及び図５に示す如く、ラック部材(５)の本体(51)には、一方の係合片(53)の近傍位置に、バネ部材(８)のコイル部(81)が嵌合するボス部(56)が突設されると共に、ラック(52)の近傍位置に、バネ部材(８)の第１脚部(82)を係止する２つの係止片(57)(57)が突設され、更にピックアップ装置(４)側の端部には、バネ部材(８)の第２脚部(83)を係止する係止片(58)が突設されている。
斯くして、バネ部材(８)は、両脚部(82)(83)を閉じる方向に圧縮された状態でラック部材(５)の本体(51)に係止されて、第１脚部(82)はラック部材(５)のラック(52)に沿って伸びる一方、第２脚部(83)は、第１脚部(82)に対して所定の開き角度(約５０°)をもって伸び、当たり部(84)は、ラック部材(５)の本体(51)から僅かに外側へ突出している。
【００２０】
そして、バネ部材(８)の第２脚部(83)が係止片(58)の奥壁から僅かに離間して拡開方向の弾性復帰力を発揮し得る状態で、当たり部(84)が、図２及び図３に示す如くピックアップ装置(４)のベース(40)に形成された突片(46)に傾斜角度をもって当接している。
これによって、バネ部材(８)の当たり部(84)はピックアップ装置(４)のベース(40)に対して斜め方向に弾性付勢力を作用せしめ、図６に示す如く、該弾性復帰力Ｆは、ラック部材(５)の移動方向と直交する向きの第１分力Ｆｘと、ラック部材(５)の移動方向と平行な第２分力Ｆｙの成分を有している。
【００２１】
前記弾性復帰力Ｆの第１分力Ｆｘによってラック部材(５)の本体(51)が第１レール(21)を中心として回転付勢され、図２の如くラック(52)がピニオン(73)に押し付けられる。この結果、ラック(52)とピニオン(73)の間のバックラッシュが除去される。
又、前記弾性復帰力Ｆの第２分力Ｆｙによってラック部材(５)の本体(51)がラック部材(５)の移動方向に付勢され、図２の如くラック部材(５)のリブ(55)がピックアップ装置(４)の一方の軸受け片(42)の端面に押し付けられる。この結果、ピックアップ装置(４)とラック部材(５)とが常時一体となって往復移動することとなり、ピックアップ装置(４)とラック部材(５)の間にガタツキは生じない。
【００２２】
上記本発明のディスクプレーヤによれば、バネ部材(８)が単純な構造のトーションバネによって構成されるので、その製造は容易であり、然も、バネ鋼等の金属製とすることによって熱劣化や経年劣化が生じないので、ピックアップ駆動装置(７)には高い信頼性が維持される。又、１枚構造のラック(52)を用いて該ラック(52)とピニオン(73)の間のバックラッシュを除去することが出来るので、２枚のラックを用いた従来のディスクプレーヤよりも構成が簡易となる。
【００２３】
尚、本発明の各部構成は上記実施の形態に限らず、特許請求の範囲に記載の技術的範囲内で種々の変形が可能である。例えばバネ部材(８)は、バネ鋼製の線材に限らず、板バネを加工して形成することも可能である。又、バネ部材(８)をラック部材(５)上に取り付ける構成に限らず、バネ部材(８)をピックアップ装置(４)上に取り付けて、該バネ部材(８)によってラック部材(５)をピニオン(73)側へ付勢すると同時にピックアップ装置(４)の一部に押し付けることも可能である。
更に又、ラック部材(５)は第１レール(21)を中心として回転可能に支持する構造に限らず、ピックアップ装置(４)のベース(40)上にスライド可能に係合せしめてピニオン(73)に対して接近離間可能な構造とすることも可能である。
【図面の簡単な説明】
【００２４】
【図１】本発明に係るディスクプレーヤの平面図である。
【図２】ピックアップ装置とラック部材の連結状態を示す平面図である。
【図３】同上の連結状態を背面側から見た斜視図である。
【図４】ピックアップ装置とラック部材の連結を切り離した状態の斜視図である。
【図５】ラック部材の斜視図である。
【図６】バネ部材が発揮する弾性復帰力の作用方向を説明する図である。
【図７】従来のピックアップ駆動装置の平面図である。
【符号の説明】
【００２５】
(１)  シャーシ
(21)  第１レール
(22)  第２レール
(４)  ピックアップ装置
(40)  ベース
(41)  第１係合部
(42)  軸受け片
(43)  軸受け片
(44)  ピックアップ
(45)  第２係合部
(５)  ラック部材
(51)  本体
(52)  ラック
(53)  係合片
(54)  係合片
(８)  バネ部材
(81)  コイル部
(82)  第１脚部
(83)  第２脚部
(84)  当たり部
(７)  ピックアップ駆動装置
(71)  モータ
(72)  減速ギア列
(73)  ピニオン
【図１】
2005228456.tif 000003
【図２】
2005228456.tif 000004
【図３】
2005228456.tif 000005
【図４】
2005228456.tif 000006
【図５】
2005228456.tif 000007
【図６】
2005228456.tif 000008
【図７】
2005228456.tif 000009